(57)【要約】      （修正有）【課題】平面に放置可能であり、且つユーザの腰部を鍛錬する。【解決手段】収容空間１１の周縁の両側には第一長形溝１２と第二長形溝１３とが設けてあり、第一長形溝と第二長形溝との同じ側には第一ネジ１４と第二ネジ１５とが車台１０の底部から上に突出する。車台の収容空間に設けられ、前記第一長形溝と第二長形溝とに応じて第一長形穴２１と第二長形穴２２とがそれぞれ開設してあり、前記第一長形穴と第二長形穴との対向している端部の中央に位置し、且つ連接台２０の周縁の近傍に位置する箇所では第一貫通孔２３と第二貫通孔２４とが設けてあり、車台に設けられて前記連接台と連接し、第一弾性子３０と第二弾性子３１との一端がそれぞれ前記第一貫通孔と第二貫通孔とに位置される第一弾性子および第二弾性子と、連接台の上面に固定される座当４０とを含む。【選択図】図２
0003136922.tif 000002
【実用新案登録請求の範囲】
【請求項１】
車台と、連接台と、第一弾性子と、第二弾性子と、座当と、を含む腰部鍛錬用旋回円盤において、
前記車台は、収容空間を有し、前記収容空間の周縁の両側には第一長形溝と第二長形溝とがそれぞれ設けてあり、前記第一長形溝と第二長形溝との同じ側には第一ネジと第二ネジとが前記車台の底部から上に突出し、且つ前記第一ネジと第二ネジとはそれぞれ前記第一長形溝と第二長形溝とを摺動可能であり、
前記連接台は、前記車台の収容空間に設けられ、前記第一長形溝と第二長形溝とに応じて第一長形穴と第二長形穴とがそれぞれ開設してあり、前記第一長形穴と第二長形穴との対向している端部の中央に位置し且つ前記連接台の周縁の近傍に位置する箇所では第一貫通孔と第二貫通孔とが設けてあり、
前記第一弾性子および第二弾性子は、前記車台に設けられて前記連接台と連接し、前記第一弾性子と第二弾性子との一端がそれぞれ前記第一貫通孔と第二貫通孔とに位置され、前記連接台の上面から前記第一貫通孔と第二貫通孔とを挿通するボルトが前記第一弾性子と第二弾性子とを位置決め、また、前記第一弾性子と第二弾性子との他端が前記第一ネジと前記第二ネジとに固定され、
前記座当は、前記連接台の上面に固定されることを特徴とする、
腰部鍛錬用旋回円盤。
【請求項２】
前記第一ネジと前記第二ネジとは、内ねじ穴を持つロッド部を有し、前記ロッド部がそれぞれ前記第一長形溝と第二長形溝とを挿通して突出することを特徴とする、請求項１に記載の腰部鍛錬用旋回円盤。
【請求項３】
前記座当の材質はスポンジを使用してもよいことを特徴とする、請求項１に記載の腰部鍛錬用旋回円盤。
【考案の詳細な説明】
【技術分野】
【０００１】
本考案は、腰部鍛錬用旋回円盤に係り、特に、平面に放置可能であり、且つユーザの腰部を鍛錬可能である腰部鍛錬用旋回円盤に関するものである。
【背景技術】
【０００２】
一般の椅子用下敷きは、スポンジ材質を採用し、椅子に設置され、これにより、ユーザの座り心地が良くなるが、一般の椅子用下敷きを使用すると、ユーザの座り心地を良くする機能の他に何もなく、長時間に椅子用下敷きに座ると、腰部などが痛くなることもある。
【０００３】
だから、あるメーカは腰部を鍛錬可能な椅子を開発し、それは、主に、椅子の台座板に台座を設けて、前記台座の上で溝を設けて、前記溝に複数の穴を開設し、玉の一端が前記台座にある穴から突出するように、前記複数の穴に複数の玉を入れ、そうすると、玉は前記穴内に転がり可能であり、前記座当は、前記台座の溝に設けられ、前記座当の直径が前記台座の溝よりも小さく、且つ前記座当の底部が玉に支持されて旋回可能である。
【０００４】
上記のような構成によれば、ユーザは腰部を鍛錬することができ、座当がユーザの腰部と一緒に捩るようになり、使用しているときに、ユーザは、快適な感じをし、腰部が全く痛くない。
【考案の開示】
【考案が解決しようとする課題】
【０００５】
しかしながら、従来のものの台座の内部には玉だけが設けてあり、ユーザが腰部を捩ろうとする場合には、ユーザは単純に自分の捩り力を使用することによって腰部を捩らせ、だから、腰部の鍛錬は激しすぎる虞があった。
【課題を解決するための手段】
【０００６】
上記目的を達成するためになされた本願の考案は、車台と、連接台と、第一弾性子と、第二弾性子と、座当と、を含む腰部鍛錬用旋回円盤において、
前記車台は、収容空間を有し、前記収容空間の周縁の両側には第一長形溝と第二長形溝とがそれぞれ設けてあり、前記第一長形溝と第二長形溝との同じ側には第一ネジと第二ネジとが前記車台の底部から上に突出し、且つ前記第一ネジと第二ネジとはそれぞれ前記第一長形溝と第二長形溝とを摺動可能であり、
前記連接台は、前記車台の収容空間に設けられ、前記第一長形溝と第二長形溝とに応じて第一長形穴と第二長形穴とがそれぞれ開設してあり、前記第一長形穴と第二長形穴との対向している端部の中央に位置し且つ前記連接台の周縁の近傍に位置する箇所では第一貫通孔と第二貫通孔とが設けてあり、
前記第一弾性子および第二弾性子は、前記車台に設けられて前記連接台と連接し、前記第一弾性子と第二弾性子との一端がそれぞれ前記第一貫通孔と第二貫通孔とに位置され、前記連接台の上面から前記第一貫通孔と第二貫通孔とを挿通するボルトが前記第一弾性子と第二弾性子とを位置決め、また、前記第一弾性子と第二弾性子との他端が前記第一ネジと前記第二ネジとに固定され、
前記座当は、前記連接台の上面に固定されることを特徴とする腰部鍛錬用旋回円盤であることを要旨としている。
【０００７】
本願の考案では、前記第一ネジと前記第二ネジとは、内ねじ穴を持つロッド部を有し、前記ロッド部がそれぞれ前記第一長形溝と第二長形溝とを挿通して突出することを特徴とする請求項１に記載の腰部鍛錬用旋回円盤であることを要旨としている。
【０００８】
本願の考案では、前記座当の材質はスポンジを使用してもいいことを特徴とする請求項１に記載の腰部鍛錬用旋回円盤であることを要旨としている。
【考案の効果】
【０００９】
本考案の腰部鍛錬用旋回円盤によれば、次のような効果がある。
（イ）本考案は任意の平面に放置して腰部を鍛錬可能であるので、使用は極めて便利である。
【００１０】
（ロ）本考案によって腰部を鍛錬しているときに、第一弾性子３０と第二弾性子３１との引張力により腰部の捩りの抵抗が増加し、この抵抗を克服するために、腰部の捩り力を増加することが必要になり、ひいては腰部の鍛錬効果が更に良くなり、そして運動の面白さも向上する。
【考案を実施するための最良の形態】
【００１１】
以下、添付図面を参照して本考案の好適な実施の形態を詳細に説明する。
【００１２】
まず、図１乃至図４を参照する。本考案の腰部鍛錬用旋回円盤は、車台１０と、連接台２０と、第一弾性子３０と、第二弾性子３１と、座当４０と、を含む。
【００１３】
前記車台１０は、上面には収容空間１１を有し、前記収容空間１１の周縁の両側には第一長形溝１２と第二長形溝１３とがそれぞれ設けてあり、前記第一長形溝１２と第二長形溝１３との同じ側には、Ｔ字形を呈する、第一ネジ１４と第二ネジ１５とが前記車台１０の底部から上に突出し、且つ前記第一ネジ１４と第二ネジ１５とはそれぞれ前記第一長形溝１２と第二長形溝１３とを摺動可能であり、前記第一ネジ１４と前記第二ネジ１５とは、内ねじ穴を持つロッド部を有し、前記ロッド部がそれぞれ前記第一長形溝１２と第二長形溝１３とを挿通して突出し、また、前記車台１０の上面には、多数の穴１６が設けてあり、前記各穴１６に玉１７が設けてあり、且つ前記玉１７の頂部が前記穴１６から突出する。
【００１４】
前記連接台２０は、前記車台１０の収容空間１１に設けられ、前記台座１０に設けられた玉１７と当接し、前記第一長形溝１２と第二長形溝１３とに応じて第一長形穴２１と第二長形穴２２とがそれぞれ開設してあり、前記第一長形穴２１と第二長形穴２２との対向している端部の中央に位置し且つ前記連接台の周縁の近傍に位置する箇所では第一貫通孔２３と第二貫通孔２４とが設けてある。
【００１５】
前記第一弾性子３０および第二弾性子３１は、前記車台１０に設けられて前記連接台２０と連接し、前記第一弾性子３０と第二弾性子３１との端部にはフック部３０１，３１１がそれぞれ設けてあり、且つ前記第一弾性子３０と第二弾性子３１とのフック部３０１，３１１がそれぞれ前記第一貫通孔２３と第二貫通孔２４との下に位置され、図３に示すように、前記連接台２０の上面から前記第一貫通孔２３及び第二貫通孔２４とフック部３０１，３１１とを挿通するボルト３２，３３がナット３４，３５と螺合することにより、前記第一弾性子３０と第二弾性子３１との他端にあるフック部３０１，３１１をそれぞれ前記第一ネジ１４と前記第二ネジ１５とのロッド部に固定してもいいし、図４に示すように、ネジ軸を持つ、第三ネジ３６と第四ネジ３７とを前記連接台２０の上面から前記第一長形穴２１及び第二長形穴２２とフック部３０１，３１１とをそれぞれ挿通して前記第一ネジ１４と前記第二ネジ１５とに螺合することにより、前記第一弾性子３０と第二弾性子３１との他端にあるフック部３０１，３１１をそれぞれ固定してもいい。
【００１６】
前記座当４０は、前記連接台２０の上面に固定され、その材質はスポンジを採用してもいい。
【００１７】
また、図５と図６を参照しながら本考案の使用状態を詳細に説明する。図５に示すように、ユーザの腰部が左方向に捩っているときに、連接台２０が左方向に旋回され、だから、第二弾性子３１が引っ張られるようになり、腰部を左方向に捩るほど、抵抗が徐々に増加し、これにより、腰部の鍛錬効果は従来のものよりも更に良くなる。
【００１８】
また、図６に示すように、ユーザの腰部が右方向に捩っているときに、連接台２０が右方向に旋回され、だから、第一弾性子３０が引っ張られるようになり、腰部を右方向に捩るほど、抵抗が徐々に増加し、これにより、腰部の鍛錬効果は従来のものよりも更に良くなる。
【図面の簡単な説明】
【００１９】
【図１】本考案の組合状態の外観斜視図である。
【図２】本考案の分解斜視図である。
【図３】本考案の一部の断面図１である。
【図４】本考案の一部の断面図２である。
【図５】本考案によって左方向に腰部を捩った状態を示す概略図である。
【図６】本考案によって右方向に腰部を捩った状態を示す概略図である。
【符号の説明】
【００２０】
１０      車台
１１      収容空間
１２，１３    長形溝
１４      第一ネジ
１５      第二ネジ
１６      穴
１７      玉
２０      連接台
２１      第一長形穴
２２      第二長形穴
２３      第一貫通孔
２４      第二貫通孔
３０      第一弾性子
３１      第二弾性子
３２，３３    ボルト
３４，３５    ナット
３６      第三ネジ
３７      第四ネジ
４０      座当
３０１，３１１    フック部
【図１】
0003136922.tif 000003
【図２】
0003136922.tif 000004
【図３】
0003136922.tif 000005
【図４】
0003136922.tif 000006
【図５】
0003136922.tif 000007
【図６】
0003136922.tif 000008